(57)【要約】  電子機器用端子保護構造（１００）は、コネクタ（１４）を外部に露出させるソケット（１２１）が設けられた溝部（１２２）と、溝部（１２２）を覆うカバー（１３）とを有する。カバー（１３）は、板状のカバー板（１３１）と、カバー板（１３１）の一端部に設置されたヒンジ部材（１３２）と、カバー板（１３１）の他端部に設置され、スライド動作をするラッチ部材（１３３）と、カバー（１３）を閉じた際にソケット（１２１）に挿入されてソケット（１２１）の側壁に当接するパッキン（１３４）とを有する。溝部（１２２）は、ヒンジ部材（１３２）が回動可能に固定されるヒンジ固定部と、ラッチ部材（１３３）と係合する返し（１２２ｄ）と、ラッチ部材（１３３）の係合解除に伴うスライド動作時にラッチ部材（１３３）が当接し、パッキン（１３４）をソケット（１２１）から引き抜く方向にカバー（１３）を誘導する案内斜面（１２２ｅ）とを有する。
2018092276.tif 000002
【特許請求の範囲】
【請求項１】
電子機器用端子を外部に露出させるソケットが設けられた溝部と、前記溝部を覆うカバーとを有する電子機器用端子保護構造であって、
前記カバーは、
板状のカバー板と、
前記カバー板の一端部に設置されたヒンジ部材と、
前記カバー板の他端部に設置され、スライド動作をするラッチ部材と、
前記カバー板に配置され、前記カバーを閉じた際に前記ソケットに挿入されて該ソケットの側壁に当接するパッキンとを有し、
前記溝部は、
前記ヒンジ部材が回動可能に固定されるヒンジ固定部と、
前記ラッチ部材と係合する返しと、
前記ラッチ部材の係合解除に伴うスライド動作時に前記ラッチ部材が当接し、前記パッキンを前記ソケットから引き抜く方向に前記カバーを誘導する案内斜面とを有することを特徴とする電子機器用端子保護構造。
【請求項２】
前記ラッチ部材は、前記カバー板の一端部側に寄ったアンロック位置と、前記カバー板の一端部から遠ざかったロック位置との間をスライドし、
前記返しは、前記アンロック位置に配置された前記ラッチ部材と係合せず、前記ロック位置に配置された前記ラッチ部材と係合し、
前記案内斜面は、前記カバーを閉じた状態で前記ラッチ部材が前記アンロック位置に配置されると、前記ラッチ部材と当接して、前記パッキンを前記ソケットから引き抜く方向に前記ラッチ部材を付勢し、前記カバーを閉じる際に前記ラッチ部材と当接して、該ラッチ部材を前記ロック位置に誘導することを特徴とする請求項１に記載の電子機器用端子保護構造。
【請求項３】
前記カバー板及び前記ラッチ部材は、前記カバーを開く際に、前記ラッチ部材を前記アンロック位置に保持し、前記カバーを閉じる際に、前記ラッチ部材を前記ロック位置に保持する位置決め機構を備えていることを特徴とする請求項２に記載の電子機器用端子保護構造。
【請求項４】
前記ヒンジ部材は、前記カバー板の一端部に設けられた軸受部に軸支される軸部を有し、
前記軸受部は、前記カバー板の長手方向に延びる長円形の穴を備え、
前記カバー板は、前記溝部の中で長手方向に移動可能に支持されることを特徴とする請求項１に記載の電子機器用端子保護構造。
【請求項５】
前記パッキンは、周縁の壁部の先端部が前記ソケットの断面よりも小さい形状であり、前記壁部の根元部は前記ソケットの断面よりも大きい形状であることを特徴とする請求項１から４のいずれか１項に記載の電子機器用端子保護構造。
【請求項６】
前記位置決め機構は、前記カバー板に形成された突起と、前記ラッチ部材に設けられた棒状のばね部とで構成されており、
前記突起は、前記カバー板の長手方向において中間部が凸となる曲面部を備え、
前記ラッチ部材は、前記ばね部の先端部が前記曲面部に前記一端部側から当接することによって前記アンロック位置に保持され、前記ばね部の先端部が前記曲面部に前記他端部側から当接することによって前記ロック位置に保持されることを特徴とする請求項３又は４に記載の電子機器用端子保護構造。
【請求項７】
前記パッキンは、前記カバー板の凸部に嵌合するリング状であり、
前記カバー板は、前記凸部にリブを備えることを特徴とする請求項１から４のいずれか１項に記載の電子機器用端子保護構造。
【請求項８】
前記ソケットは、複数の前記電子機器用端子を前記フロントパネルの外部に露出させることを特徴とする請求項７に記載の電子機器用端子保護構造。
【請求項９】
前記溝部は、該溝部に浸入した水を前記返しが設けられた端部側に導く排水溝を備えることを特徴とする請求項１から４のいずれか１項に記載の電子機器用端子保護構造。
【請求項１０】
前記溝部は、底面と側面とに跨がる斜面を備えることを特徴とする請求項１から４のいずれか１項に記載の電子機器用端子保護構造。
【請求項１１】
請求項１から１０のいずれか１項に記載の電子機器用端子保護構造を備えたことを特徴とする電子機器。
【発明の詳細な説明】
【技術分野】
【０００１】
本発明は、電子機器の端子を保護する電子機器用端子保護構造及びこれを備えた電子機器に関する。
【背景技術】
【０００２】
電子機器は、他の機器との間で情報をやりとりするために、有線通信用のケーブルを差し込むコネクタ及びリムーバル記憶媒体を差し込むためのスロットを備えている。このため、電子機器の筐体には、コネクタ又はスロットといった電子機器用端子を筐体の外に露出させる穴が開けられている。以下、本明細書では電子機器用端子を筐体の外に露出させる穴を「ソケット」という。一般に、電子機器のソケットは、カバーで覆われて保護される。【０００３】
近年の電子機器は、防水性が求められており、ソケットから水が浸入することを防止する必要がある。したがって、ソケットを覆って電子機器用端子を保護するカバーには、パッキンが設置されている。ソケットからの水の浸入を防止する構造は、ソケットの開口の前側にパッキンを当てる縦圧縮方式と称される構造と、ソケット内にパッキンを入れて壁面に当てる横圧縮方式と称される構造とがある。縦圧縮方式では、ソケットの開口の周囲にパッキンの当て代を確保する必要があり、電子機器の小型化の妨げとなるため、横圧縮方式の採用が進んでいる。【０００４】
特許文献１には、横圧縮方式の防水構造が開示されている。
【先行技術文献】
【特許文献】
【０００５】
【特許文献１】特開２００９−５１１３号公報
【発明の概要】
【発明が解決しようとする課題】
【０００６】
しかしながら、横圧縮方式の防水構造は、ソケット内にパッキンが入り込むため、ソケット内のコネクタ又はスロットを使用する際にカバーを開けにくいという問題があった。【０００７】
本発明は、上記に鑑みてなされたものであって、横圧縮方式の防水構造を備え、かつカバーを開きやすい電子機器用端子保護構造を得ることを目的とする。
【課題を解決するための手段】
【０００８】
上述した課題を解決し、目的を達成するために、本発明は、電子機器用端子を外部に露出させるソケットが設けられた溝部と、溝部を覆うカバーとを有する電子機器用端子保護構造であって、カバーは、板状のカバー板と、カバー板の一端部に設置されたヒンジ部材と、カバー板の他端部に設置され、スライド動作をするラッチ部材と、カバー板に配置され、カバーを閉じた際にソケットに挿入されて該ソケットの側壁に当接するパッキンとを有する。溝部は、ヒンジ部材が回動可能に固定されるヒンジ固定部と、ラッチ部材と係合する返しと、ラッチ部材の係合解除に伴うスライド動作時にラッチ部材が当接し、パッキンをソケットから引き抜く方向にカバーを誘導する案内斜面とを有する。
【発明の効果】
【０００９】
本発明に係る電子機器用端子保護構造は、横圧縮方式の防水構造を備え、かつカバーを開きやすいという効果を奏する。
【図面の簡単な説明】
【００１０】
【図１】本発明の実施の形態１に係る電子機器用端子保護構造を適用した電子機器の外観図
【図２】実施の形態１に係る電子機器の電子機器用端子保護構造の部分での横断面図
【図３】実施の形態１に係る電子機器の電子機器用端子保護構造の部分での縦断面図
【図４】実施の形態１に係る電子機器用端子保護構造のカバーの側面図
【図５】実施の形態１に係る電子機器用端子保護構造のカバーの斜視図
【図６】実施の形態１に係る電子機器用端子保護構造のカバーの斜視図
【図７】実施の形態１に係る電子機器用端子保護構造のフロントパネルの溝部を示す図
【図８】実施の形態１に係る電子機器用端子保護構造のカバーの位置決め機構をカバー板からラッチ部材を取り外した状態で示す図
【図９】実施の形態１に係る電子機器用端子保護構造のカバーを開く際の状態変化を示す図
【図１０】実施の形態１に係る電子機器用端子保護構造のカバーを閉じる際の状態変化を示す図
【図１１】実施の形態１に係る電子機器用端子保護機構の位置決め機構の状態を示す図
【図１２】実施の形態１に係る電子機器用端子保護機構の位置決め機構の状態を示す図
【図１３】実施の形態１に係る電子機器用端子保護機構の位置決め機構の状態を示す図
【図１４】実施の形態１に係る電子機器用端子保護構造の変形例を示す断面図
【図１５】本発明の実施の形態２に係る電子機器用端子保護構造を示す図
【図１６】実施の形態２に係る電子機器用端子保護構造のカバーの斜視図
【発明を実施するための形態】
【００１１】
以下に、本発明の実施の形態に係る電子機器用端子保護構造及び電子機器を図面に基づいて詳細に説明する。なお、この実施の形態によりこの発明が限定されるものではない。
【００１２】
実施の形態１．
図１は、本発明の実施の形態１に係る電子機器用端子保護構造を適用した電子機器の外観図である。図２は、実施の形態１に係る電子機器の電子機器用端子保護構造の部分での横断面図である。図３は、実施の形態１に係る電子機器の電子機器用端子保護構造の部分での縦断面図である。電子機器１０は、表示部１５を備えたプログラマブル表示器である。なお、電子機器１０は、表示部１５を備えたプログラマブル表示器に限定されない。電子機器１０は、回路基板を収容し、前面が開放しているリアケース１１と、電子機器用端子であるコネクタ１４を外に露出させるソケット１２１を備えリアケース１１の前面を覆うフロントパネル１２と、ソケット１２１に配置されたコネクタ１４を保護するカバー１３とを備えている。フロントパネル１２及びカバー１３は、ソケット１２１からの水の浸入を防止する電子機器用端子保護構造１００を構成している。ソケット１２１に配置されるコネクタ１４は、ユニバーサルシリアルバス（Universal  Serial  Bus,  USB）の雌型コネクタを例示できるがこれに限定されない。図３に示すように、フロントパネル１２は、細長く凹んだ溝部１２２が設けられている。溝部１２２には、ソケット１２１が設けられている。
【００１３】
図４は、実施の形態１に係る電子機器用端子保護構造のカバーの側面図である。カバー１３は、図３に示す溝部１２２に入る細長の棒状のカバー板１３１と、カバー板１３１の長手方向の一端部１３１ａに取り付けられたヒンジ部材１３２と、カバー板１３１の長手方向の他端部１３１ｂに取り付けられたラッチ部材１３３と、カバー板１３１の長手方向の中間部に取り付けられたパッキン１３４とを備えている。図５及び図６は、実施の形態１に係る電子機器用端子保護構造のカバーの斜視図である。図４及び図５は、ラッチ部材１３３を後述するアンロック位置に配置した状態を示しており、図６は、ラッチ部材１３３を後述するロック位置に配置した状態を示している。図７は、実施の形態１に係る電子機器用端子保護構造のフロントパネルの溝部を示す図である。
【００１４】
カバー板１３１は、ヒンジ部材１３２を支持する軸受部１３１ｃが長手方向の一端部１３１ａに設けられ、ラッチ部材１３３を案内するラッチガイド用突起１３１ｄが長手方向の他端部１３１ｂに設けられている。軸受部１３１ｃの軸穴は、カバー板１３１の長手方向に延びる長円形の穴になっている。
【００１５】
ヒンジ部材１３２は、貫通穴１３２ｄが開けられた板部１３２ａと、板部１３２ａから面方向に突出してカバー板１３１の軸受部１３１ｃの軸穴を貫通する軸部１３２ｂと、溝部１２２の凹部１２２ｆに差込まれる突起１３２ｃとを備えている。カバー板１３１の軸受部１３１ｃの軸穴が長円形であるため、カバー板１３１は、溝部１２２の中で長手方向に移動可能に支持される。また、板部１３２ａの幅は、軸受部１３１ｃ同士の間隔よりも狭くなっており、カバー板１３１は溝部１２２の中で軸部１３２ｂの軸方向に沿って移動可能に支持される。ヒンジ部材１３２は、突起１３２ｃを溝部１２２の凹部１２２ｆに係合させるとともに、貫通穴１３２ｄを通したねじを溝部１２２の底面１２２ｇのねじ穴１２２ａにねじ止めすることによってフロントパネル１２に固定される。すなわち、ねじ穴１２２ａは、ヒンジ部材１３２が回動可能に固定されるヒンジ固定部をなしている。なお、フロントパネル１２のねじ穴１２２ａは、非貫通穴となっている。ねじ穴１２２ａが非貫通穴となっているため、ねじ穴１２２ａから電子機器１０の内部に水が浸入することはない。
【００１６】
ラッチ部材１３３は、カバー板１３１の長手方向の一端部１３１ａ側に寄ったアンロック位置と、カバー板１３１の長手方向の一端部１３１ａから遠ざかったロック位置との間をスライドするようにカバー板１３１に支持されている。カバー板１３１に案内用のラッチガイド用突起１３１ｄを設け、ラッチ部材１３３に被案内用のリブ１３３ａを設けることで、アンロック位置とロック位置との間でラッチ部材１３３をスライドさせる構造を実現可能であるが、これに限定されない。
【００１７】
カバー板１３１及びラッチ部材１３３は、カバー１３を開く際に、ラッチ部材１３３をアンロック位置に保持し、カバー１３を閉じる際に、ラッチ部材１３３をロック位置に保持する位置決め機構を備えている。位置決め機構の詳細については後述する。
【００１８】
パッキン１３４は、ソケット１２１の断面と同じ長円形であり、周縁に壁部１３４ａが設けられている。壁部１３４ａの先端部１３４ｂでは長円の大きさはソケット１２１の断面よりも小さくなっており、壁部１３４ａの根元部１３４ｃでは長円の大きさはソケット１２１の断面よりも大きくなっている。壁部１３４ａの先端部１３４ｂと根元部１３４ｃとで長円の大きさを変えるために、壁部１３４ａを全体的に傾斜させてテーパ状にしても良いし、壁部１３４ａに面取りを施しても良い。パッキン１３４は、カバー１３を閉じた際にソケット１２１に挿入されて、ソケット１２１の側壁に当接する。
【００１９】
図７に示すように、フロントパネル１２の溝部１２２は、ねじ穴１２２ａ及び凹部１２２ｆが設けられた一端部１２２ｂとは逆側となる他端部１２２ｃに、ロック位置に配置されたラッチ部材１３３と係合する形状の返し１２２ｄが設けられている。溝部１２２は、一端部１２２ｂ側が浅く、他端部１２２ｃ側が深くなっており、中間部には案内斜面１２２ｅが形成されている。案内斜面１２２ｅは、カバー１３を閉じた状態でラッチ部材１３３がアンロック位置に配置されると、パッキン１３４をソケット１２１から引き抜く方向にラッチ部材１３３を付勢し、カバー１３を閉じる際にラッチ部材１３３と当接してラッチ部材１３３をロック位置に誘導する。ソケット１２１は、案内斜面１２２ｅよりも一端部１２２ｂ寄りに設けられている。
【００２０】
また、溝部１２２には、底面１２２ｇと側面１２２ｈとに跨がる斜面１２２ｉが設けられており、ソケット１２１付近に水が滞留しにくくすることで、ソケット１２１内に水が浸入しにくくしている。なお、斜面１２２ｉは、丸め面であっても同様の効果が得られる。また、溝部１２２の底面１２２ｇには、溝部１２２に浸入した水をソケット１２１付近から他端部１２２ｃ側に導く排水溝１２２ｊが設けられており、ソケット１２１付近に水が滞留しにくくすることで、ソケット１２１内に水が浸入しにくくしている。
【００２１】
図８は、実施の形態１に係る電子機器用端子保護構造のカバーの位置決め機構をカバー板からラッチ部材を取り外した状態で示す図である。位置決め機構は、カバー板１３１に形成された突起１３１ｅと、ラッチ部材１３３に形成されたばね部１３３ｂとで構成されている。突起１３１ｅは、カバー板１３１の長手方向において中間部が凸となる曲面部１３１ｈを備えている。ばね部１３３ｂは、カバー板１３１と平行な面内において弾性変形可能な棒状である。カバー板１３１にラッチ部材１３３を取り付けた状態では、ばね部１３３ｂは、曲面部１３１ｈの凸方向、すなわち図８中の矢印Ａ方向に撓んだ状態で突起１３１ｅの曲面部１３１ｈに当接する。ラッチ部材１３３は、ばね部１３３ｂの先端部１３３ｃが曲面部１３１ｈに一端部１３１ａ側から当接することによってアンロック位置に保持され、ばね部１３３ｂの先端部１３３ｃが曲面部１３１ｈに他端部１３１ｂ側から当接することによってロック位置に保持される。ラッチ部材１３３がロック位置とアンロック位置との間に位置する場合、ばね部１３３ｂの先端部１３３ｃが突起１３１ｅの曲面部１３１ｈに案内されることによって、ラッチ部材１３３はロック位置又はアンロック位置に誘導される。カバー板１３１には、抜け止め突起１３１ｊが設けられている。抜け止め突起１３１ｊは、他端部１３１ｂ側は斜面となり、一端部１３１ａ側は垂直面となっている。このため、ラッチ部材１３３とカバー板１３１とを組み立てる際には、ばね部１３３ｂの先端部１３３ｃは、斜面に沿って抜け止め突起１３１ｊを乗り越えることができる。組立後は、ばね部１３３ｂの先端部１３３ｃが垂直面に当たることにより、ラッチ部材１３３とカバー板１３１とが容易には分離しない状態となる。なお、ラッチ部材１３３とカバー板１３１との分離を防止する構造は、上記構造に限定されない。
【００２２】
カバー１３を開く時の動作について説明する。図９は、実施の形態１に係る電子機器用端子保護構造のカバーを開く際の状態変化を示す図である。ステージＳ１１に示すように、カバー１３を閉じた状態では、位置決め機構によってラッチ部材１３３がロック位置に配置され、ラッチ部材１３３は返し１２２ｄに係合している。ステージＳ１２に示すように、ラッチ部材１３３をアンロック位置側にスライドさせると、ラッチ部材１３３と返し１２２ｄとの係合が解除される。ステージＳ１３に示すように、さらにラッチ部材１３３をアンロック位置側にスライドさせると、ラッチ部材１３３は案内斜面１２２ｅに乗り上げ、案内斜面１２２ｅを滑って登る。ステージＳ１４に示すように、ラッチ部材１３３が案内斜面１２２ｅを登ることにより、カバー板１３１は、ヒンジ部材１３２の軸部１３２ｂを中心にソケット１２１から離れる方向に回動し、パッキン１３４はソケット１２１から引き抜かれる。ばね部１３３ｂの先端部１３３ｃは、突起１３１ｅに他端部１３１ｂ側から当接する位置から、一端部１３１ａ側から当接する位置に移動し、ラッチ部材１３３はアンロック位置に誘導されて保持される。ステージＳ１５に示すように、パッキン１３４がソケット１２１から引き抜かれた後は、ラッチ部材１３３に指を掛けて引っ張ると、カバー板１３１はヒンジ部材１３２の軸部１３２ｂを中心にして回動し、ソケット１２１の前方が開放され、コネクタ１４がソケット１２１を通じて露出する。
【００２３】
次に、カバー１３を閉じる時の動作について説明する。図１０は、実施の形態１に係る電子機器用端子保護構造のカバーを閉じる際の状態変化を示す図である。ステージＳ２１に示すように、カバー板１３１の他端部１３１ｂ付近をフロントパネル１２側に押すと、ステージＳ２２に示すように、ラッチ部材１３３が案内斜面１２２ｅに突き当たり、ラッチ部材１３３は案内斜面１２２ｅを滑り降りる。図１１は、実施の形態１に係る電子機器用端子保護機構の位置決め機構の状態を示す図である。図１１は、ラッチ部材１３３が案内斜面１２２ｅを滑り降り始めた時点での位置決め機構の状態を示している。図１１に示すように、ラッチ部材１３３が案内斜面１２２ｅを滑り降り始めた時点では、ばね部１３３ｂの先端部１３３ｃは突起１３１ｅに一端部１３１ａ側から当接している。
【００２４】
ラッチ部材１３３が案内斜面１２２ｅを滑り降りる間に、パッキン１３４をソケット１２１に挿入する力がカバー板１３１から加えられ、ステージＳ２３に示すように、パッキン１３４はソケット１２１に挿入される。なお、カバー板１３１が溝部１２２の中で長手方向及び幅方向に移動可能になっていることと、パッキン１３４の壁部１３４ａの先端部１３４ｂはソケット１２１の断面よりも小さく、根元部１３４ｃはソケット１２１の断面よりも大きくなっていることとにより、カバー１３を閉じる際に、パッキン１３４はソケット１２１と同じ位置に位置合わせされる。図１２は、実施の形態１に係る電子機器用端子保護機構の位置決め機構の状態を示す図である。図１２は、ラッチ部材１３３が案内斜面１２２ｅを滑り降りている間の位置決め機構の状態を示している。図１２に示すように、ラッチ部材１３３が案内斜面１２２ｅを滑り降りている間は、ばね部１３３ｂは弾性変形を起こし、ばね部１３３ｂの先端部１３３ｃは突起１３１ｅの頂部１３１ｆに当接している。
【００２５】
図１３は、実施の形態１に係る電子機器用端子保護機構の位置決め機構の状態を示す図である。図１３は、ラッチ部材１３３が案内斜面１２２ｅを滑り降りきった時点での位置決め機構の状態を示している。ステージＳ２４に示すように、ラッチ部材１３３が案内斜面１２２ｅを滑り降りきると、図１３に示すように、ばね部１３３ｂは弾性変形をしたまま、先端部１３３ｃが突起１３１ｅに他端部１３１ｂ側から当接した状態となる。したがって、ばね部１３３ｂの先端部１３３ｃは、突起１３１ｅの他端部１３１ｂ側の曲面に沿って摺動し、ばね部１３３ｂが元の形状に復元しようとする。ばね部１３３ｂが元の形状に復元することにより、ステージＳ２５に示すように、ラッチ部材１３３はロック位置に誘導されて保持され、返し１２２ｄと係合する。上記の動作により、フロントパネル１２側に押し付ける力をカバー板１３１に加えるだけで、カバー１３を閉じることができる。
【００２６】
なお、カバー板１３１とフロントパネル１２との係合は、Ｕ字形状のばね性を持つ構造をカバー板１３１の他端部１３１ｂに設けてスナップフィットで実現することも可能であるが、カバー板１３１にスナップフィットを設けた構造では、フロントパネル１２との係合を解除する際にパッキン１３４にはソケット１２１から引き抜く力が加わらないため、カバー１３を容易に開くことができない。また、カバー板１３１にスナップフィットを設けた構造では、ばね性を持たせる必要があってカバー１３の厚さ方向の寸法が大きくなってしまうことが避けられないため、電子機器１０の小型化の妨げにもなりやすい。
【００２７】
実施の形態１に係る電子機器用端子保護構造１００は、カバー１３を開く際には、ラッチ部材１３３をアンロック位置側にスライドさせるだけで、パッキン１３４をソケット１２１から引き抜くことができる。したがって、コネクタ１４を使用する際にカバー１３を容易に開くことができる。また、スナップフィットを設ける構造と比較すると、カバー１３の厚さ方向の寸法を小さくすることができ、電子機器１０の小型化の妨げとはなりにくい。
【００２８】
また、実施の形態１に係る電子機器用端子保護構造１００は、カバー１３を閉じる際には、フロントパネル１２側に押し付ける力をカバー板１３１に加えると、ラッチ部材１３３が案内斜面１２２ｅに案内される。したがって、フロントパネル１２側に押し付ける力をカバー板１３１に加えるだけで、ラッチ部材１３３をフロントパネル１２の返し１２２ｄに係合させることができ、カバー板１３１が不意に開くことを防止できる。また、実施の形態１に係る電子機器用端子保護構造１００は、パッキン１３４の壁部１３４ａが傾斜しており、かつ、カバー板１３１は溝部１２２の中で移動可能に保持されているため、カバー１３を閉じる際には、カバー板１３１が溝部１２２の中で移動してパッキン１３４とソケット１２１との位置合わせが自動的に行われる。したがって、パッキン１３４とソケット１２１との位置がずれて防水性能が低下することを抑制できる。
【００２９】
図１４は、実施の形態１に係る電子機器用端子保護構造の変形例を示す断面図である。ロック位置に配置されたラッチ部材１３３には、ストッパ１３５が取り付けられている。ストッパ１３５は、ラッチ部材１３３をアンロック位置側にスライドさせようとする際に、カバー板１３１と干渉するようになっており、ストッパ１３５が付いた状態ではラッチ部材１３３をアンロック位置にスライドさせることはできなくなっている。上記のストッパ１３５を設けることで、ラッチ部材１３３が意図に反してアンロック位置にスライドすることを防止できる。なお、ここでは、ラッチ部材１３３に嵌合するピン状のストッパ１３５を図示しているが、ストッパ１３５がカバー板１３１との間に挟まるブロック状であっても、ラッチ部材１３３が意図に反してアンロック位置にスライドすることを防止する効果は同様に得られる。
【００３０】
上記の説明において、ばね部１３３ｂがカバー板１３１の面と平行に弾性変形する構造を示したが、ばね部１３３ｂがカバー板１３１の面と垂直な方向に弾性変形する構造にしても、カバー１３の開閉時にラッチ部材１３３を同様に動かすことができる。また、上記の説明においては、ソケット１２１に配置された電子機器用端子はコネクタ１４であったが、ソケット１２１に配置される電子機器用端子は、スロットでも良い。ソケット１２１に配置されるスロットは、ＳＤメモリカードスロットを例示できるがこれに限定されない。
【００３１】
実施の形態２．
図１５は、本発明の実施の形態２に係る電子機器用端子保護構造を示す図である。図１５では、カバー１３の図示を省略し、フロントパネル１２の溝部１２２を示している。実施の形態２に係る電子機器用端子保護構造１０１は、ソケット１２１にコネクタ１４を二つ備えている点で実施の形態１と相違する。図１６は、実施の形態２に係る電子機器用端子保護構造のカバーの斜視図である。実施の形態２では、パッキン１３４は、壁部１３４ａのみがリング状に形成されており、カバー板１３１の凸部１３１ｉに嵌め込まれている。カバー板１３１の凸部１３１ｉには、リブ１３１ｇが設けられている。
【００３２】
実施の形態２に係る電子機器用端子保護構造１０１では、一つのパッキン１３４で二つのコネクタ１４を囲むため、コネクタ１４が一つである実施の形態１と比較すると、カバー板１３１が長くなる。カバー板１３１を単純に長くすると、カバー板１３１の中央部の剛性が不足し、カバー板１３１は撓みやすくなる。すなわち、カバー１３を閉める際に、カバー板１３１の中央部が浮き上がるように変形して、パッキン１３４がソケット１２１に挿入されない可能性があり、防水性能が低下してしまう。
【００３３】
実施の形態２に係る電子機器用端子保護構造１０１では、カバー板１３１にリブ１３１ｇを設けることで、カバー板１３１の中央部の剛性を高めている。したがって、カバー１３を閉める際に、カバー板１３１の中央部が浮き上がるように変形することは防止される。すなわち、防水性能の低下を防ぐことができる。
【００３４】
実施の形態２ではソケット１２１にコネクタ１４が二つ配置された構造について説明したが、ソケット１２１にコネクタ１４が一つ配置される構造であっても、カバー板１３１の剛性を確保したい場合には、パッキン１３４をリング状にするとともに、カバー板１３１にリブ１３１ｇを備えた凸部１３１ｉを設けるようにしてもよい。
【００３５】
実施の形態２に係る電子機器用端子保護構造１０１は、カバー板１３１の剛性の不足によってソケット１２１にパッキン１３４が挿入されず、防水性能が低下することを防止できる。
【００３６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３７】
１０  電子機器、１１  リアケース、１２  フロントパネル、１３  カバー、１４  コネクタ、１５  表示部、１００，１０１  電子機器用端子保護構造、１２１  ソケット、１２２  溝部、１２２ａ  ねじ穴、１２２ｂ，１３１ａ  一端部、１２２ｃ，１３１ｂ  他端部、１２２ｄ  返し、１２２ｅ  案内斜面、１２２ｆ  凹部、１２２ｇ  底面、１２２ｈ  側面、１２２ｉ  斜面、１２２ｊ  排水溝、１３１  カバー板、１３１ｃ  軸受部、１３１ｄ  ラッチガイド用突起、１３１ｅ，１３２ｃ  突起、１３１ｆ  頂部、１３１ｇ，１３３ａ  リブ、１３１ｈ  曲面部、１３１ｉ  凸部、１３１ｊ  抜け止め突起、１３２  ヒンジ部材、１３２ａ  板部、１３２ｂ  軸部、１３２ｄ  貫通穴、１３３  ラッチ部材、１３３ｂ  ばね部、１３３ｃ，１３４ｂ  先端部、１３４  パッキン、１３４ａ  壁部、１３４ｃ  根元部。
【図１】
2018092276.tif 000003
【図２】
2018092276.tif 000004
【図３】
2018092276.tif 000005
【図４】
2018092276.tif 000006
【図５】
2018092276.tif 000007
【図６】
2018092276.tif 000008
【図７】
2018092276.tif 000009
【図８】
2018092276.tif 000010
【図９】
2018092276.tif 000011
【図１０】
2018092276.tif 000012
【図１１】
2018092276.tif 000013
【図１２】
2018092276.tif 000014
【図１３】
2018092276.tif 000015
【図１４】
2018092276.tif 000016
【図１５】
2018092276.tif 000017
【図１６】
2018092276.tif 000018
【手続補正書】
【提出日】平成29年7月5日(2017.7.5)
【手続補正１】
【補正対象書類名】特許請求の範囲
【補正対象項目名】全文
【補正方法】変更
【補正の内容】
【特許請求の範囲】
【請求項１】
電子機器用端子を外部に露出させるソケットが設けられた溝部と、前記溝部を覆うカバーとを有する電子機器用端子保護構造であって、
前記カバーは、
板状のカバー板と、
前記カバー板の一端部に設置されたヒンジ部材と、
前記カバー板の他端部に設置され、スライド動作をするラッチ部材と、
前記カバー板に配置され、前記カバーを閉じた際に前記ソケットに挿入されて該ソケットの側壁に当接するパッキンとを有し、
前記溝部は、
前記ヒンジ部材が回動可能に固定されるヒンジ固定部と、
前記ラッチ部材と係合する返しと、
前記ラッチ部材の係合解除に伴うスライド動作時に前記ラッチ部材が当接し、前記パッキンを前記ソケットから引き抜く方向に前記カバーを誘導する案内斜面とを有することを特徴とする電子機器用端子保護構造。
【請求項２】
前記ラッチ部材は、前記カバー板の一端部側に寄ったアンロック位置と、前記カバー板の一端部から遠ざかったロック位置との間をスライドし、
前記返しは、前記アンロック位置に配置された前記ラッチ部材と係合せず、前記ロック位置に配置された前記ラッチ部材と係合し、
前記案内斜面は、前記カバーを閉じた状態で前記ラッチ部材が前記アンロック位置に配置されると、前記ラッチ部材と当接して、前記パッキンを前記ソケットから引き抜く方向に前記ラッチ部材を付勢し、前記カバーを閉じる際に前記ラッチ部材と当接して、該ラッチ部材を前記ロック位置に誘導することを特徴とする請求項１に記載の電子機器用端子保護構造。
【請求項３】
前記カバー板及び前記ラッチ部材は、前記カバーを開く際に、前記ラッチ部材を前記アンロック位置に保持し、前記カバーを閉じる際に、前記ラッチ部材を前記ロック位置に保持する位置決め機構を備えていることを特徴とする請求項２に記載の電子機器用端子保護構造。
【請求項４】
前記位置決め機構は、前記カバー板に形成された突起と、前記ラッチ部材に設けられた棒状のばね部とで構成されており、
前記突起は、前記カバー板の長手方向において中間部が凸となる曲面部を備え、
前記ラッチ部材は、前記ばね部の先端部が前記曲面部に前記一端部側から当接することによって前記アンロック位置に保持され、前記ばね部の先端部が前記曲面部に前記他端部側から当接することによって前記ロック位置に保持されることを特徴とする請求項３に記載の電子機器用端子保護構造。
【請求項５】
前記ヒンジ部材は、前記カバー板の一端部に設けられた軸受部に軸支される軸部を有し、
前記軸受部は、前記カバー板の長手方向に延びる長円形の穴を備え、
前記カバー板は、前記溝部の中で長手方向に移動可能に支持されることを特徴とする請求項１から４のいずれか１項に記載の電子機器用端子保護構造。
【請求項６】
前記ラッチ部材は、アンロック位置と、ロック位置との間をスライドし、
前記カバー板及び前記ラッチ部材は、前記カバーを開く際に、前記ラッチ部材を前記アンロック位置に保持し、前記カバーを閉じる際に、前記ラッチ部材を前記ロック位置に保持する位置決め機構を備え、
前記位置決め機構は、前記カバー板に形成された突起と、前記ラッチ部材に設けられた棒状のばね部とで構成されており、
前記ラッチ部材は、前記ばね部の先端部が前記突起に前記一端部側から当接することによって前記アンロック位置に保持され、前記ばね部の先端部が前記突起に前記他端部側から当接することによって前記ロック位置に保持されることを特徴とする請求項１に記載の電子機器用端子保護構造。
【請求項７】
前記突起は前記カバー板の長手方向において中間部が凸となる曲面部を備えることを特徴とする請求項６に記載の電子機器用端子保護構造。
【請求項８】
電子機器用端子を外部に露出させるソケットが設けられた溝部と、前記溝部を覆うカバーとを有する電子機器用端子保護構造であって、
前記カバーは、
板状のカバー板と、
前記カバー板の一端部に設置されたヒンジ部材と、
前記カバー板の他端部に設置され、スライド動作をするラッチ部材と、
前記カバー板に配置され、前記カバーを閉じた際に前記ソケットに挿入されて該ソケットの側壁に当接するパッキンとを有し、
前記溝部は、
前記ヒンジ部材が回動可能に固定されるヒンジ固定部と、
前記ラッチ部材と係合する返しと、
前記ラッチ部材の係合解除に伴うスライド動作時に前記ラッチ部材が当接し、前記パッキンを前記ソケットから引き抜く方向に前記カバーを誘導する案内斜面とを有し、
前記ヒンジ部材は、前記カバー板の一端部に設けられた軸受部に軸支される軸部を有し、
前記軸受部は、前記カバー板の長手方向に延びる長円形の穴を備え、
前記カバー板は、前記溝部の中で長手方向に移動可能に支持され、
前記カバー板及び前記ラッチ部材は、前記カバーを開く際に、前記ラッチ部材を前記返しと係合しないアンロック位置に保持し、前記カバーを閉じる際に、前記ラッチ部材を前記返しと係合するロック位置に保持する位置決め機構を備え、
前記位置決め機構は、前記カバー板に形成された突起と、前記ラッチ部材に設けられた棒状のばね部とで構成されており、
前記突起は、前記カバー板の長手方向において中間部が凸となる曲面部を備え、
前記ラッチ部材は、前記ばね部の先端部が前記曲面部に前記一端部側から当接することによって前記アンロック位置に保持され、前記ばね部の先端部が前記曲面部に前記他端部側から当接することによって前記ロック位置に保持されることを特徴とする電子機器用端子保護構造。
【請求項９】
前記パッキンは、周縁の壁部の先端部が前記ソケットの断面よりも小さい形状であり、前記壁部の根元部は前記ソケットの断面よりも大きい形状であることを特徴とする請求項１から８のいずれか１項に記載の電子機器用端子保護構造。
【請求項１０】
前記パッキンは、前記カバー板の凸部に嵌合するリング状であり、
前記カバー板は、前記凸部にリブを備えることを特徴とする請求項１から９のいずれか１項に記載の電子機器用端子保護構造。
【請求項１１】
前記ソケットは、複数の前記電子機器用端子を外部に露出させることを特徴とする請求項１０に記載の電子機器用端子保護構造。
【請求項１２】
前記溝部は、該溝部に浸入した水を前記返しが設けられた端部側に導く排水溝を備えることを特徴とする請求項１から１１のいずれか１項に記載の電子機器用端子保護構造。
【請求項１３】
前記溝部は、底面と側面とに跨がる斜面を備えることを特徴とする請求項１から１２のいずれか１項に記載の電子機器用端子保護構造。
【請求項１４】
請求項１から１３のいずれか１項に記載の電子機器用端子保護構造を備えたことを特徴とする電子機器。
【国際調査報告】
2018092276.tif 000019
2018092276.tif 000020
2018092276.tif 000021
2018092276.tif 000022